(57)【要約】【課題】  外枠に水平方向に出し入れされ、食器類の出し入れをする開口が上側に設けられている食器洗い乾燥機において、容易に洗浄槽と内蓋を閉鎖させ、洗浄水や蒸気が漏れるのを防止する食器洗い乾燥機を提供する。【解決手段】  外枠１に水平方向に出し入れされ、食器類の出し入れをする開口４が上側に設けられている洗浄槽２と、前記外枠１の内側上方に設けられ、前記開口４を閉鎖する内蓋６とを有し、前記洗浄槽２が前記外枠１内に入れられた際に前記開口４が前記内蓋６で閉鎖されるようにカム体８により前記内蓋６を押し下げて下降させる。 【選択図】  図３
2007061516.tif 000002
【特許請求の範囲】
【請求項１】
外枠に水平方向に出し入れされ、食器類の出し入れをする開口が上側に設けられている洗浄槽と、前記外枠の内側上方に設けられ、前記開口を閉鎖する内蓋とを有し、前記洗浄槽が前記外枠内に入れられた際に前記開口が前記内蓋で閉鎖されるようにカム体により前記内蓋を押し下げて下降させる食器洗い乾燥機。
【請求項２】
請求項１記載の食器洗い乾燥機において、前記洗浄槽を前記外枠に出し入れする際に、前記カム体により前記内蓋を上方に持ち上げ保持する食器洗い乾燥機。
【請求項３】
請求項１記載の食器洗い乾燥機において、前記カム体を略楕円形に設け、前記カム体の長手方向が真下に向いた位置にて固定し、下死点を保持する食器洗い乾燥機。
【請求項４】
請求項１記載の食器洗い乾燥機において、前記カム体を略楕円形に設け、前記カム体の長手方向が真上に向いた位置にて固定し、上死点を保持する食器洗い乾燥機。
【請求項５】
請求項１記載の食器洗い乾燥機において、前記内蓋の上下移動を案内する上下移動案内手段を設けた食器洗い乾燥機。
【請求項６】
請求項１記載の食器洗い乾燥機において、前記開口の周縁と前記内蓋との間に水密シールを有する食器洗い乾燥機。
【請求項７】
請求項１記載の食器洗い乾燥機において、前記内蓋に複数のバネを有し、前記バネにより前記内蓋を洗浄槽側に付勢させることで前記洗浄槽と前記内蓋を均圧で押し下げる食器洗い乾燥機。
【発明の詳細な説明】
【技術分野】
【０００１】
本発明は、食器等を洗浄して乾燥する食器洗い乾燥機に関する。
【背景技術】
【０００２】
従来の洗浄槽引出し式の食器洗い乾燥機は、外枠と外枠に水平方向に出し入れされ、食器類の出し入れをする開口が上側に設けられている洗浄槽と外枠の内側上方に設けられ、開口を閉鎖する中空の水密シールを有する内蓋を設けている。
【０００３】
洗浄する場合は、洗浄槽が外枠内に収容されてからエアーポンプで中空の水密シールを膨らませて洗浄槽との水密を保ち水漏れしないようにして洗浄している（例えば、特許文献１参照）。
【０００４】
【特許文献１】特開２００３−１８０６０５号公報
【発明の開示】
【発明が解決しようとする課題】
【０００５】
しかしながら、上記の従来技術において、洗浄槽と内蓋との水封は中空の水密シールを膨張させて行うためエアーポンプが必要になる。
【０００６】
また、中空の水密シールは、膨張や収縮を繰り返すため、耐久性や気密性に優れた水密シールを用いる必要があるため高価になる。
【０００７】
さらに、洗浄中や、運転中は洗浄槽が引き出せないようにすること（チャイルドロック）が必要であるから、この間は中空の水密シールを一定圧力で保持する必要があり、常に圧力を検知しながら水密性を保持しつづけなければならないため、構成が複雑で高価になる。
【０００８】
本発明は、上記の問題に鑑み、中空の水密シール、エアーポンプ、圧力検知装置を用いることなく、簡単な構成で安価に水密のシールができる食器洗い乾燥機を提供することを目的とする。
【課題を解決するための手段】
【０００９】
本発明は上記の問題を解決するためになされたものであり、請求項１は外枠に水平方向に出し入れされ、食器類の出し入れをする開口が上側に設けられている洗浄槽と、前記外枠の内側上方に設けられ、前記開口を閉鎖する内蓋とを有し、前記洗浄槽が前記外枠内に入れられた際に前記開口が前記内蓋で閉鎖されるようにカム体により前記内蓋を押し下げて下降させるものである。
【００１０】
また、請求項２は前記洗浄槽を前記外枠に出し入れする際に、前記カム体により前記内蓋を上方に持ち上げ保持するものである。
【００１１】
また、請求項３は前記カム体を略楕円形に設け、カム体の長手方向が真下に向いた位置にて固定し、下死点を保持するものである。
【００１２】
また、請求項４は前記カム体を略楕円形に設け、カム体の長手方向が真上に向いた位置にて固定し、上死点を保持するものである。
【００１３】
また、請求項５は前記内蓋の上下移動を案内する上下移動案内手段を設けたものである。
【００１４】
また、請求項６は前記開口の周縁と前記内蓋との間に介在される水密シールを有するものである。
【００１５】
また、請求項７は前記内蓋に複数のバネを有し、前記バネにより前記内蓋を洗浄槽側に付勢させることで前記洗浄槽と前記内蓋を均圧で押し下げるものである。
【発明の効果】
【００１６】
本発明の食器洗い乾燥機は、上記のように構成したことにより、洗浄槽が外枠内に入れられた際に、内蓋を下降させて洗浄槽に突き当て、洗浄槽の開口を閉鎖することができるので、膨張／収縮する中空の水密シール、エアーポンプ、圧力検知装置等が不要になり、構成が簡単で安価な食器洗い乾燥機を提供することができる。
【発明を実施するための最良の形態】
【００１７】
以下、本発明の一実施例を図１〜図８を参照して説明する。図１は本発明の一実施例を示す食器洗い乾燥機をシステムキッチンに組み込んだ状態の斜視図、図２は同じく食器洗い乾燥機の正面から内部を見た図、図３は同じく洗浄槽の斜視図、図４は同じく内蓋の上下移動案内機構を示す図、図５は同じくモーター及びカム体の拡大図、図６は同じく洗浄槽が水密される前の状態を示す図、図７は同じく洗浄槽が水密された状態を示す図、図８は他の実施例のモーター及びカム体の拡大図である。
【００１８】
外枠１には洗浄槽２が、水平方向に出し入れ自在に収納される。洗浄槽２は外枠１の内底両側に設けた横行移動レール３に横行移動自在に支持される。
【００１９】
洗浄槽２は食器類が出し入れされる開口４を上側に有する。洗浄槽２の前面に設けられる前側パネル５には洗い乾燥運転を操作する操作ボタン１５、食器洗い乾燥機の運転を制御する制御手段（図示せず）等が設けられている。
【００２０】
外枠１は内側上方に内蓋６を有する。内蓋６は、洗浄槽２に合わさると、開口４を閉鎖する蓋になる。内蓋６は、両側面に設けた取付け金具９を介して内蓋６の上下移動を案内する上下移動案内手段１０に支持されている。上下移動案内手段１０は外枠１の内側に規定した範囲内での上下方向のみ移動可能に支持されている。
【００２１】
外枠１の内側上方にはカム体８を有するモーター７が設けられる。カム体８は略楕円形に設けられ、モーター７の軸に対して長手側と短手側ができるように取付けることでモーター７の回転によりカム体８の長手側の向きが３６０°回転する。
【００２２】
カム体８は内蓋６に固定されたカム体収容部１１内にラップするように設置され、カム体収容部１１内で３６０°自在に回転可能となっている。内蓋６は上下移動可能に保持されているため、カム体８が回転することでカム体収容部１１の壁面とカム体８が接触し、内蓋６は上下にガイドされる。
【００２３】
洗浄槽２に食器類の出し入れを行う等の水密を行わない時は、内蓋６はカム体８により直接上方向に押し上げられて上昇する。この時カム体８の長手側は真上に向いた状態で停止し保持される。すなわちカム体８の長手方向が真上を向いた位置にて固定し、上死点を保持する。これにより内蓋６が容易に下降しないように固定される。
【００２４】
食器洗い乾燥機を運転等により洗浄槽２の開口４を閉鎖し水密を行う時は、内蓋６はカム体８により直接下方向に押し下げられて下降する。この時カム体８の長手側は真下に向いた状態で停止し保持される。すなわちカム体８の長手方向が真下に向いた位置にて固定し、下死点を保持する。これにより内蓋６が容易に持ち上がり水密が不完全にならないように押さえつけている。
【００２５】
水密シール１２は内蓋６に設けられ、洗浄槽２の開口４の周縁と内蓋６との間に介在し、洗浄槽２の開口４の周縁である上端面１４に接合する。
【００２６】
内蓋６により開口４を均圧で閉鎖して水密するために引きバネであるバネ１３が内蓋６の左右の四隅に設けられ内蓋６を洗浄槽２側に付勢させている。バネ１３は内蓋６の取付け金具９を介して洗浄槽２の上端面１４に一定力で接合するように外枠１の内側に固定している。
【００２７】
なお、バネ１３は引きバネでなくてもよく内蓋６を洗浄槽２側に付勢させることができるものであれば何でもかまわない。
【００２８】
この水密シール１２とバネ１３により、内蓋６による開口４の閉鎖は、密閉がより良くなる。したがって洗浄水や乾燥時の蒸気は、水密シール１２の密閉により洗浄槽２の外に漏れない。
【００２９】
なお、他の実施例として図９に示すように、カム体８が複数であっても良く、モーター７の回転をベルト１６の伝動によりカム体８に伝える構成であってもよい。
【００３０】
このように、洗浄槽２が外枠１内に入れられた際に、内蓋６を下降させて洗浄槽２に突き当て、洗浄槽２の開口４を閉鎖することができるので、膨張／収縮する中空の水密シール、エアーポンプ、圧力検知装置等が不要になり、構成が簡単で安価な食器洗い乾燥機を提供することができる。
【図面の簡単な説明】
【００３１】
【図１】本発明の一実施例を示す食器洗い乾燥機をシステムキッチンに組み込んだ状態の斜視図である。
【図２】同じく食器洗い乾燥機の正面から内部を見た図である。
【図３】同じく洗浄槽の斜視図である。
【図４】同じく内蓋の上下移動案内機構を示す図である。
【図５】同じくモーター及びカム体の拡大図である。
【図６】同じく洗浄槽が水密される前の状態を示す図である。
【図７】同じく洗浄槽が水密された状態を示す図である。
【図８】他の実施例のモーター及びカム体の拡大図である。
【符号の説明】
【００３２】
１  外枠
２  洗浄槽
４  開口
６  内蓋
８  カム体
１０  上下移動案内手段
１２  水密シール
１３  バネ
【図１】
2007061516.tif 000003
【図２】
2007061516.tif 000004
【図３】
2007061516.tif 000005
【図４】
2007061516.tif 000006
【図５】
2007061516.tif 000007
【図６】
2007061516.tif 000008
【図７】
2007061516.tif 000009
【図８】
2007061516.tif 000010